(57)【特許請求の範囲】
【請求項１】
フレームと、
前記フレームに前後方向に摺動自在に支持されている可動シャーシと、
前記可動シャーシの前端側に回動自在に取付けられている表示パネルと、
前記表示パネルに取付けられ、前記表示パネルの回動軸線を中心として前記表示パネルと一緒に回動する係合部材と、
前記可動シャーシに摺動自在に取付けられており、前記係合部材と係合するように前記表示パネル側に付勢されるロック板と、
を具備し、前記可動シャーシを前記フレームから引出して前記表示パネルを前方へ回動させることにより前記表示パネルが引出されるとともに、前記表示パネルが引出された後に前記可動シャーシを後退させた使用状態において前記表示パネルの回動方向の運動が前記係合部材と係合する前記ロック板によって阻止されることを特徴とする収納式表示装置。
【請求項２】
前記係合部材がセグメントギヤから構成され、しかも前記ロック板の先端部に係合歯が設けられるとともに、該係合歯と係合する前記セグメントギヤが前記表示パネルの回動軸線を中心として前記表示パネルと一緒に回動するように該表示パネルの側面に取付けられていることを特徴とする請求項１に記載の収納式表示装置。
【請求項３】
前記ロック板に突片が設けられており、可動シャーシが最大ストローク引出されると、前記突片が前記フレームの係止部に当接して前方へのストロークが規制され、前記ロック板によるロック動作が阻止されることを特徴とする請求項１に記載の収納式表示装置。
【請求項４】
前記可動シャーシが最大ストローク引出された状態で前記表示パネルが前方へ回動されて引出されることを特徴とする請求項３に記載の収納式表示装置。
【請求項５】
前記表示パネルを引出した後に前方へ回動させて前記可動シャーシを再び後退させることにより前記表示パネルが使用位置へ移動されるとともに、前記可動シャーシの後退によって前記ロック動作の阻止が解除されて前記ロック板により前記表示パネルがロックされることを特徴とする請求項３に記載の収納式表示装置。
【請求項６】
前記ロック板につまみが設けられており、該つまみを操作することにより前記ロック板によるロックが手動で解除されることを特徴とする請求項３に記載の収納式表示装置。
【発明の詳細な説明】
【０００１】
【発明の属する技術分野】
本発明は収納式表示装置に係り、とくに不使用時にフレーム内に収納されるとともに、使用時に表示パネルを引出すようにした収納式表示装置に関する。
【０００２】
【従来の技術】
例えば自動車にナビゲーション装置を装備する場合には、表示手段によって地図上における車両の位置を表示することを必要とする。そこで従来は、インストルメントパネル上にオンダッシュタイプの液晶パネルを取付けるようにしている。この場合にはインストルメントパネルの外表面に穴をあけて液晶表示パネルをねじで固定する方法によって取付けが行なわれるようになっている。
【０００３】
これに対してビルドインタイプの表示装置は、インストルメントパネルあるいはコンソールパネル内にオーディオ装置とともに組込まれるようになっている。そしてこのようなビルドインタイプの表示装置は、その液晶表示パネルがフレーム内に収納されており、使用時に引出して使用位置へ移動させるようにしている。
【０００４】
【発明が解決しようとする課題】
このようにビルドインタイプの収納式表示装置は、使用する際に表示パネルを引出して使用位置へ移動させるようにしている。すなわち表示パネルは引出し可能に支持されているために、走行時における車両の振動が伝達され易く、表示パネルの表示画面が振れて非常に見難くなる問題がある。
【０００５】
また表示パネルの角度を任意に調整可能にすると、表示パネルがさらに振れ易くなる。このことから従来のこの種の表示装置は、角度の調整を行なうことができないようにしていた。従って必ずしも最も見易い角度に調整することができないという問題があった。
【０００６】
本発明はこのような問題点に鑑みてなされたものであって、使用状態に引出されたときに表示パネルが振動しないようにし、しかも任意の角度で安定に保持することができるようにした収納式表示装置を提供することを目的とする。
【０００７】
【課題を解決するための手段】
本発明は、フレームと、
前記フレームに前後方向に摺動自在に支持されている可動シャーシと、
前記可動シャーシの前端側に回動自在に取付けられている表示パネルと、
前記表示パネルに取付けられ、前記表示パネルの回動軸線を中心として前記表示パネルと一緒に回動する係合部材と、
前記可動シャーシに摺動自在に取付けられており、前記係合部材と係合するように前記表示パネル側に付勢されるロック板と、
を具備し、前記可動シャーシを前記フレームから引出して前記表示パネルを前方へ回動させることにより前記表示パネルが引出されるとともに、前記表示パネルが引出された後に前記可動シャーシを後退させた使用状態において前記表示パネルの回動方向の運動が前記係合部材と係合する前記ロック板によって阻止されることを特徴とする収納式表示装置に関するものである。
【０００８】
前記係合部材がセグメントギヤから構成され、しかも前記ロック板の先端部に係合歯が設けられるとともに、該係合歯と係合する前記セグメントギヤが前記表示パネルの回動軸線を中心として前記表示パネルと一緒に回動するように該表示パネルの側面に取付けられてよい。また前記ロック板に突片が設けられており、可動シャーシが最大ストローク引出されると、前記突片が前記フレームの係止部に当接して前方へのストロークが規制され、前記ロック板によるロック動作が阻止されるようにしてよい。
【０００９】
また前記可動シャーシが最大ストローク引出された状態で前記表示パネルが前方へ回動されて引出されるようにしてよい。また前記表示パネルを引出した後に前方へ回動させて前記可動シャーシを再び後退させることにより前記表示パネルが使用位置へ移動されるとともに、前記可動シャーシの後退によって前記ロック動作の阻止が解除されて前記ロック板により前記表示パネルがロックされるようにしてよい。また前記ロック板につまみが設けられており、該つまみを操作することにより前記ロック板によるロックが手動で解除されるようにしてよい。
【００１０】
本発明の好ましい態様は、使用位置へ引出された表示パネルが車両の振動によって振れが発生して非常に見難くなることを防止するとともに、表示パネルの角度を変化させたときにも振れの防止の機構が有効に機能するようにした収納式表示装置に関するものである。
【００１１】
すなわち表示パネルの側面にこの表示パネルの回動中心と中心が一致するセグメントギヤを設けるようにするとともに、このセグメントギヤと係合する係合歯を有するロック板を設けるようにし、このロック板の係合歯をセグメントギヤと係合させることによって、ロックを行なうようにしたものである。ここで表示パネルが回動されて引出される状態では上記ロック板によるロックが解除されるようにしている。
【００１２】
またこのロック板のロック動作をつまみによって解除することによって、表示パネルの回動が自由になり、任意の角度に調整することができる。この後につまみから手を離すと、ロック板によって表示パネルが再びロックされることになり、任意の調整角度で表示パネルがロックされるようになる。
【００１３】
このような態様によれば、車両の走行に伴う表示パネルの振動が抑えられ、画面が見難くなるのが防止される。またロック板の係合歯を中心が表示パネルの回動中心と等しいセグメントギヤと係合させることによってロックを行なうようにしているために、任意の回転角度でロックを行なうことが可能になり、回転角度を細かく設定して商品性を向上させることが可能になる。またつまみによってロック板のロックを任意に解除することが可能になり、角度修正も容易に行なうことが可能になる。
【００１４】
また表示パネルをモータによって回転駆動する場合において、このモータの軸に不要な振動を表示パネルによって与えることが防止されるために、上記モータの長寿命化が図られることになる。
【００１５】
【発明の実施の形態】
図１〜図８は本発明の一実施の形態に係る収納式表示装置を示すものであって、この表示装置は液晶表示パネルを用いた表示装置に関するものである。図４〜図６に示すようにこの装置は偏平な直方体状をなすフレーム１０を備えており、このフレーム１０はその前方が開口１１になっている。そしてフレーム１０内には開口１１の方向に移動可能に可動シャーシ１２が配されている。
【００１６】
フレーム１０の一側部には図６に示すように断面円形のガイドロッド１５が取付けられており、このガイドロッド１５が可動シャーシ１２に固定されている摺動軸受１６と摺動可能に嵌合されている。またフレーム１０にはスライドレール１７が移動自在に取付けられており、このスライドレール１７によって可動シャーシ１２の下部を支えるようにしている。
【００１７】
可動シャーシ１２の前端側の部分には横長の操作パネル２０が固着されている。操作パネル２０は複数の操作釦２１を有するとともに、横長の補助表示部２２を備えている。またコンパクトディスク（商品名）やミニディスク（商品名）等のディスク状記録媒体を挿入するためのディスク挿入口２３を備えている。
【００１８】
またこの可動シャーシ１２上には図２〜図５に示すように、液晶表示パネル２６が回動自在に取付けられている。すなわち偏平な直方体状をなす液晶表示パネル２６の両側の下側の部分がピン２７を介して可動シャーシ１２の前端側に回動自在に支持されている。また液晶表示パネル２６のキャビネットの背面側の両側部にはセグメントギヤ２８が取付けられており、このセグメントギヤ２８が可動シャーシ１２上に固定されているモータ２９の出力軸に固着されたピニオン３０と係合されるようになっており、モータ２９によって液晶表示パネル２６を回動させるようにしている。
【００１９】
このような液晶表示パネル２６を備える表示装置は、車載用の表示装置であって、オーディオ装置と一緒に自動車のインストルメントパネルまたはコンソールパネルに上下に並べて収納されるようになっている。
【００２０】
次に上記表示パネル２６が回動されて引出された場合における振動を防止するための機構について説明する。振動防止のための機構はとくに図３に示す左右一対のロック板３７から構成されている。
【００２１】
これらのロック板３７はそれぞれその長さ方向に沿って一対の長孔３８を備え、これらの長孔３８が可動シャーシ１２の両側の側壁部に植設されたピン３９を受入れており、これによってロック板３７は可動シャーシ１２の側壁上を前後方向に摺動可能に支持されている。またロック板３７は戻しばね４０によって前方へ摺動付勢されている。またロック板３７にはその上面につまみ４１が取付けられている。
【００２２】
上記左右のロック板３７の先端側の部分には係合歯４４が形成されている。そしてこのような係合歯４４と噛合うようにロック用セグメントギヤ４５が液晶表示パネル２６の両側面であってその下端側の部分に取付けられている。なお右側のセグメントギヤ４５はこの液晶表示パネル２６を回動させるためのセグメントギヤ２８と一体になっている。またセグメントギヤ４５の中心は液晶表示パネル２６の回動中心、すなわちピン２７の軸線と一致している。
【００２３】
ロック板３７の下端側の部分であってその後端側には突片４６が設けられており、このような突片４６に対応してフレーム１０の開口１１の縁部であってその下端側の部分には折曲げて係止片４７が連設されている（図５参照）。
【００２４】
次に以上のような構成に係る収納式表示装置の引出し動作について説明する。収納状態においては図１および図４に示すように、液晶表示パネル２６がフレーム１０内に収納されるとともに、操作パネル２０が図１に示すようにオーディオ操作パネル３３の上に並べて配置されるようになっている。
【００２５】
液晶表示パネル２６を使用する場合には図５および図６に示すように、可動シャーシ１２をフレーム１０に対して前方に引出す。この引出し動作は、モータによってラックとピニオンとを介して行なうようにしてもよく、あるいはまた手で操作パネル２０の部分を持って前方へ引出すようにしてもよい。このときに可動シャーシ１２はガイドロッド１５とスライドレール１７とによって案内された状態で引出される。
【００２６】
なお可動シャーシ１２の両側面に設けられているロック板３７は図４に示す状態においては、戻しばね４０によって前方へ摺動付勢されており、その先端側の係合歯４４が液晶表示パネル２６のロック用セグメントギヤ４５に係合された状態になっている。すなわち収納状態においてはロック板３７の係合歯４４とセグメントギヤ４５とが噛合っている。
【００２７】
ところが可動シャーシ１２の引出し動作に連動してロック板３７が可動シャーシ１２とともに前方へ移動されると、とくに図５に示すように、この可動シャーシ１２の前方への摺動動作の完了の直前に、ロック板３７の後端側に設けられている突片４６がフレーム１０の係止片４７に当接する。従ってそれ以上ロック板３７は前方へ移動できなくなり、このために戻しばね４０に抗してロック板３７が可動シャーシ１２に対して相対的に後方へ移動されるようになる。従ってロック板３７の係合歯４４がロック用セグメントギヤ４５から外れる。すなわち可動シャーシ１２がフレーム１０から完全に引出されると、液晶表示パネル２６のロックが解除された状態になる。
【００２８】
完全に可動シャーシ１２がフレーム１０から引出された状態において、図７に示すようにモータ２９を駆動し、ピニオン３０によってセグメントギヤ２８を駆動する。液晶表示パネル２６は上述の如くロック板３７によるロックが解除されており、このためにセグメントギヤ２８が取付けられている液晶表示パネル２６が図７に示すようにピン２７を中心として反時計方向に回動され、これによって液晶表示パネル２６がほぼ直立した状態になる。なおこのときに必要に応じて液晶表示パネル２６の傾きを調整し、図７において２点鎖線で示すように斜めの角度とすることも可能である。
【００２９】
この後に図８に示すように、再び可動シャーシ１２をフレーム１０内に引込む。このときにフレーム１０の開口１１のエッジに対して直立する液晶表示パネル２６がやや前方に位置するまで引込むようにする。そしてこの状態において液晶表示パネル２６によって所定の表示を行なうようにする。なおこのときに液晶表示パネル２６は上述の如く、鎖線で示すようにやや後方に傾けた状態であってもよい。
【００３０】
上述のように可動シャーシ１２をフレーム１０内に再び引込むように移動させると、この移動動作に伴って可動シャーシ１２に取付けられているロック板３７の突片４０がフレーム１０の係止片４７から離間する。従ってロック板３７は戻しばね４０によってその係合歯４４がロック用セグメントギヤ４５に係合する。すなわち図８に示すように使用位置へ移動された状態において、液晶表示パネル２６はロック板３７によってロックされるようになる。
【００３１】
液晶表示パネル２６を収納する場合には、上記とは逆の動作を行なう。すなわち図８に示すようにほぼ直立した液晶表示パネル２６を支持している可動シャーシ１２を図７に示すように再び前方へ引出す。この動作に伴ってロック板３７によるロックが解除される。従ってこの状態においてモータ２９によってピニオン３０およびセグメントギヤ２８を介して図５および図６に示すように液晶表示パネル２６をピン２７を中心として時計方向に回動させ、可動シャーシ１２内に収納すればよい。そしてこの後に可動シャーシ１２をフレーム１０内に引込めばよい。これによって図４に示す収納状態になる。
【００３２】
このように本実施の形態の収納式表示装置は、図５に示すように可動シャーシ１２が完全に引出されると、ロック板３７の突片４６がフレーム１０の係合片４７に当接し、これによってロック板３７の係合歯４４が液晶表示パネル２６の両側のロック用セグメントギヤ４５から外れるようになっている。従ってこの状態においてモータ２９によってセグメントギヤ２８を介して液晶表示パネル２６を図７に示すように引出し、角度調整を行なえばよい。そして角度を設定した後に可動シャーシ１２を再び収納方向へスライドさせることによって、ロック板３７の突片４６が係止片４７から外れるようになり、このために液晶表示パネル２６が任意の角度で固定されてその振れが防止されるようになる。
【００３３】
またこのように液晶表示パネル２６が図８に示す使用状態においてロック板３７によってロックされるために、液晶表示パネル２６のセグメントギヤ２８を介してモータ２９の軸に振動が伝達されることがなく、これによってモータ２９が保護されるようになる。
【００３４】
このような収納式表示装置によれば、とくに液晶表示パネル２６が車両の走行に伴う振動によって振れることがなく、画面の見易さが維持される。また引出された液晶表示パネル２６の角度を任意の角度に調整した状態でロック板３７によってロックすることが可能になり、角度調整も任意に行なうことができるようになる。
【００３５】
なおロック板３７の解除は、可動シャーシ１２が完全に引出されない状態においても、つまみ４１によってロック板３７を後方へ移動させることによって行なうことが可能になる。そして液晶表示パネル２６の傾斜角度を細かく設定することができるために、商品性の向上が図られるようになる。また液晶表示パネル２６の振れがセグメントギヤ２８を介してモータ２９に伝達されることがなく、これによってモータ２９が保護されるようになる。
【００３６】
【発明の効果】
以上のように本発明は、フレームと、フレームに前後方向に摺動自在に支持されている可動シャーシと、可動シャーシの前端側に回動自在に取付けられている表示パネルと、表示パネルに取付けられ、表示パネルの回動軸線を中心として表示パネルと一緒に回動する係合部材と、可動シャーシに摺動自在に取付けられており、係合部材と係合するように表示パネル側に付勢されるロック板と、を具備し、可動シャーシをフレームから引出して表示パネルを前方へ回動させることにより表示パネルが引出されるとともに、表示パネルが引出された後に可動シャーシを後退させた使用状態において表示パネルの回動方向の運動が係合部材と係合するロック板によって阻止されるようにしたものである。
【００３７】
従って使用状態において表示パネルの振れがロック板によって阻止されるようになり、このために振動に伴う画面の見難さをなくすことが可能になる。
【００３８】
係合部材がセグメントギヤから構成され、しかもロック板の先端部に係合歯が設けられるとともに、この係合歯と係合するセグメントギヤが表示パネルの回動軸線を中心として表示パネルと一緒に回動するように該表示パネルの側面に取付けられている構成によれば、ロック板の係合歯をセグメントギヤに噛合わせることによって表示パネルの回動方向の運動が阻止されるようになる。
【００３９】
ロック板に突片が設けられており、可動シャーシが最大ストローク引出されると、突片が前記フレームの係止部に当接して前方へのストロークが規制され、ロック板によるロック動作が阻止されるようにした構成によれば、可動シャーシが最大ストローク引出されるとロック板によるロックが自動的に解除されることになる。
【００４０】
可動シャーシが最大ストローク引出された状態で表示パネルが前方へ回動されて引出されるようにした構成によれば、ロックが解除された状態において表示パネルを前方へ回動させて引出すことが可能になる。
【００４１】
表示パネルを引出した後に前方へ回動させて可動シャーシを再び後退させることにより表示パネルが使用位置へ移動されるとともに、可動シャーシの後退によってロック板のロック動作の阻止が解除されてロック板により表示パネルがロックされるようにした構成によれば、使用位置へ移動されると表示パネルが自動的にロック板によってロックされることになる。
【００４２】
ロック板につまみが設けられており、このつまみを操作することによりロック板によるロックが手動で解除されるようにした構成によれば、つまみの操作によって任意にロックの解除が行なわれるようになる。
【図面の簡単な説明】
【図１】収納式表示装置の収納状態の外観斜視図である。
【図２】同引出し状態の外観斜視図である。
【図３】液晶表示パネルのロック機構を示す分解斜視図である。
【図４】収納状態の縦断面図である。
【図５】引出し状態の縦断面図である。
【図６】同平面図である。
【図７】液晶表示パネルを前方へ回動させた状態の縦断面図である。
【図８】使用位置へ表示パネルを移動させたときの縦断面図である。
【符号の説明】
１０‥‥フレーム、１１‥‥開口、１２‥‥可動シャーシ、１５‥‥ガイドロッド、１６‥‥摺動軸受、１７‥‥スライドレール、２０‥‥操作パネル、２１‥‥操作釦、２２‥‥補助表示部、２３‥‥ディスク挿入口、２６‥‥液晶表示パネル、２７‥‥ピン、２８‥‥セグメントギヤ、２９‥‥モータ、３０‥‥ピニオン、３３‥‥オーディオ操作パネル、３７‥‥ロック板、３８‥‥長孔、３９‥‥ピン、４０‥‥戻しばね、４１‥‥つまみ、４４‥‥係合歯、４５‥‥ロック用セグメントギヤ、４６‥‥突片、４７‥‥係止片
【図１】
0003978551.tif 000002
【図２】
0003978551.tif 000003
【図３】
0003978551.tif 000004
【図４】
0003978551.tif 000005
【図５】
0003978551.tif 000006
【図６】
0003978551.tif 000007
【図７】
0003978551.tif 000008
【図８】
0003978551.tif 000009